(57)【要約】【課題】気管カニューレの内壁の内壁や体内開口部周辺に付着した痰等の分泌物を簡便かつ確実に除去することが可能な気管カニューレ用吸引チューブを提供する。【解決手段】気管カニューレ用吸引チューブ１ａは、可撓性を有する断面が略円環状の管状体からなり、挿入側端部１１が略Ｖ字状の形状を有しており、本体部１２の中心軸に対する最遠壁部近傍、即ち略Ｖ字状に形成された挿入側端部１１の頂点部近傍に、分泌物を吸引するための側孔１１１が設けられている。気管カニューレ用吸引チューブ１ａは、挿入側端部１１の前記頂点部が、気管に留置された気管カニューレの屈曲部内径側の奥側内壁面や体内開口部周辺に容易に到達するので、当該部分にこびり付いた分泌物を側孔１１１から吸引して除去することができる。【選択図】図１
0003158547.tif 000002
【実用新案登録請求の範囲】
【請求項１】
気管カニューレに挿入して気管又は前記気管カニューレ内に滞留する分泌物を吸引除去するための気管カニューレ用吸引チューブであって、
前記気管カニューレに挿入する側の端部が非直線形状又は３次元形状を有し、
前記分泌物を吸引除去するための第１の側孔が前記端部に設けられたことを有することを特徴とする、
気管カニューレ用吸引チューブ。
【請求項２】
前記端部が略Ｖ字状、略Ｗ字状、略Ｓ字状、略螺旋状、略鉤状、略フック状、略円環状、略楕円環状、略Ｕ字状又は略Ｔ字状の形状を有する、請求項１に記載の気管カニューレ用吸引チューブ。
【請求項３】
前記第１の側孔は、チューブ本体部の中心軸に対する最遠壁部の近傍に設けられてなる、請求項１又は２に記載の気管カニューレ用吸引チューブ。
【請求項４】
前記第１の側孔は、複数設けられてなる、請求項１〜３のいずれか１項に記載の気管カニューレ用吸引チューブ。
【請求項５】
前記第１の側孔は、略楕円形の形状を有する、請求項１〜４のいずれか１項に記載の気管カニューレ用吸引チューブ。
【請求項６】
前記第１の側孔は、長軸がチューブ本体部の中心軸に対して略平行となるように配設されている、請求項５に記載の気管カニューレ用吸引チューブ。
【請求項７】
前記第１の側孔は、内壁側より外壁側の径が大きくなるようにテーパを有して形成されている、請求項１〜６のいずれか１項に記載の気管カニューレ用吸引チューブ。
【請求項８】
気管又は前記気管カニューレ内壁に付着した分泌物を除去するための第２の側孔が前記端部の先端付近に更に設けられたことを特徴とする、請求項１〜７のいずれか１項に記載の気管カニューレ用吸引チューブ。
【請求項９】
吸引手段と連結するための接続部を備えたことを特徴とする、請求項１〜８のいずれか１項に記載の気管カニューレ用吸引チューブ。
【請求項１０】
全長が１５０〜４５０ｍｍである、請求項１〜９のいずれか１項に記載の気管カニューレ用吸引チューブ。
【考案の詳細な説明】
【技術分野】
【０００１】
本考案は、気管カニューレ用吸引チューブに関する。詳しくは、気管カニューレの内壁にこびり付いた分泌物を簡便かつ確実に吸引除去することが可能な気管カニューレ用吸引チューブである。
【背景技術】
【０００２】
意識障害や腫瘍、炎症等によって気道が閉塞した患者に対して、気道を確保するとともに気管や気管支に溜まった痰等の分泌物を定期的に除去する目的で、気管切開を行い気管カニューレを挿管・留置する処置が施されている。この気管カニューレ留置後の分泌物の除去は、吸引ポンプに接続された吸引チューブを気管カニューレから気管内に挿入して分泌物を吸引除去することにより行われる。かかる吸引チューブとしては、気管カニューレに挿入する側の端部の形状がストレート型のもの（デーリーチップ型）や約２０度屈曲させたもの（クードチップ型）等が知られているが（例えば、特許文献１参照）、これらは左右の気管支への選択的な挿入や気管支末梢での吸引効率や安全性に主眼が置かれていた。
【先行技術文献】
【特許文献】
【０００３】
【特許文献１】特開２０００−９３５０５号公報
【考案の概要】
【考案が解決しようとする課題】
【０００４】
図８は、従来の気管カニューレ用吸引チューブを用いた分泌物の吸引除去の様子を模式的に示した概略断面図である。図８において、気管カニューレ用吸引チューブ６は従来のデーリーチップ型の吸引チューブであり、気管３に留置された気管カニューレ４の体外開口部４１から気管内に挿入されて、チューブ先端の側溝６１から気管や気管支内に滞留した分泌物５を吸引除去する。しかし、気管カニューレ用吸引チューブ６では、気管カニューレ４の屈曲部内径側の奥側内壁面（図中の上部壁面）や気管カニューレ４の体内開口部周辺の段差部分がチューブ先端の届かない死角となり、当該部分にこびり付いた分泌物５１、５２を吸引除去することができないという問題があり、除去しきれなかった分泌物は時間の経過と共に乾燥して膜様に干からびて急性気管閉塞等を引き起こす危険性があった。
【０００５】
本考案は上記従来技術の有する問題点に鑑みなされたものであり、その目的とするところは、気管カニューレの内壁や体内開口部周辺に付着した分泌物を簡便かつ確実に除去することが可能な気管カニューレ用吸引チューブを提供することにある。
【課題を解決するための手段】
【０００６】
本考案の上記目的は、下記の手段によって達成される。
【０００７】
（１）本発明は、気管カニューレに挿入して気管又は前記気管カニューレ内に滞留する分泌物を吸引除去するための気管カニューレ用吸引チューブであって、前記気管カニューレに挿入する側の端部が非直線形状又は３次元形状を有し、前記分泌物を吸引除去するための第１の側孔が前記端部に設けられたことを有することを特徴とする、気管カニューレ用吸引チューブである。
【０００８】
（２）本発明はまた、前記端部が略Ｖ字状、略Ｗ字状、略Ｓ字状、略螺旋状、略鉤状、略フック状、略円環状、略楕円環状、略Ｕ字状又は略Ｔ字状の形状を有する、（１）に記載の気管カニューレ用吸引チューブである。
【０００９】
（３）本発明はまた、前記第１の側孔は、チューブ本体部の中心軸に対する最遠壁部の近傍に設けられてなる、（１）又は（２）に記載の気管カニューレ用吸引チューブである。
【００１０】
（４）本発明はまた、前記第１の側孔は、複数設けられてなる、（１）〜（３）のいずれか１項に記載の気管カニューレ用吸引チューブである。
【００１１】
（５）本発明はまた、前記第１の側孔は、略楕円形の形状を有する、（１）〜（４）のいずれか１項に記載の気管カニューレ用吸引チューブである。
【００１２】
（６）本発明はまた、前記第１の側孔は、長軸がチューブ本体部の中心軸に対して略平行となるように配設されている、（５）に記載の気管カニューレ用吸引チューブである。
【００１３】
（７）本発明はまた、前記第１の側孔は、内壁側より外壁側の径が大きくなるようにテーパを有して形成されている、（１）〜（６）のいずれか１項に記載の気管カニューレ用吸引チューブである。
【００１４】
（８）本発明はまた、気管又は前記気管カニューレ内壁に付着した分泌物を除去するための第２の側孔が前記端部の先端付近に更に設けられたことを特徴とする、（１）〜（７）のいずれか１項に記載の気管カニューレ用吸引チューブである。
【００１５】
（９）本発明はまた、吸引手段と連結するための接続部を備えたことを特徴とする、（１）〜（８）のいずれか１項に記載の気管カニューレ用吸引チューブである。
【００１６】
（１０）本発明はまた、全長が１５０〜４５０ｍｍである、（１）〜（９）のいずれか１項に記載の気管カニューレ用吸引チューブである。
【考案の効果】
【００１７】
本考案の気管カニューレ用吸引チューブによれば、気管カニューレに挿入する側の端部が略Ｖ字状、略Ｗ字状、略Ｓ字状、略螺旋状、略鉤状、略フック状、略円環状、略楕円環状、略Ｕ字状、略Ｔ字状等の非直線形状を有し、その頂点部近傍に気管や気管カニューレ内に滞留する分泌物を吸引除去するための側孔が設けられているので、当該側孔が気管カニューレの屈曲部内径側の奥側内壁面や体内開口部周辺に容易に到達し、当該部分にこびり付いた分泌物も当該側孔から容易に吸引して除去することができる。従って、従来の吸引チューブでは不確実であった気管や気管カニューレ内の死角に滞留する分泌物を確実に吸引除去することで、残留した分泌物が引き起こす可能性のある急性気管閉塞等の危険性を有意に低減し、生命と直結した呼吸経路の維持をより確実ならしめることができる。
【００１８】
また、本考案の気管カニューレ用吸引チューブによれば、気管カニューレ内および体内開口部周辺の分泌物の除去に特化することにより、性能の向上と同時に全長の著明な短縮が可能となり、原材料の節減による製造コストの削減や小型化による運搬・保管等の流通コストの削減を達成することができる。
【図面の簡単な説明】
【００１９】
【図１】本考案の実施形態にかかる気管カニューレ用吸引チューブ１ａの全体構成を示す概略断面図である。
【図２】気管カニューレ用吸引チューブ１ａを用いた分泌物の吸引除去の様子を模式的に示した概略断面図である。
【図３】本考案の他の実施形態にかかる気管カニューレ用吸引チューブ１ｂの挿入側端部１１ｂの構成を示す概略断面図である。
【図４】本考案の他の実施形態にかかる気管カニューレ用吸引チューブ１ｃの挿入側端部１１ｃの構成を示す概略断面図である。
【図５】本考案の他の実施形態にかかる気管カニューレ用吸引チューブ１ｄの挿入側端部１１ｄの構成を示す概略断面図である。
【図６】本考案の他の実施形態にかかる気管カニューレ用吸引チューブ１ｅ〜１ｇの挿入側端部１１ｅ〜１１ｇの構成を示す概略断面図である。
【図７】本考案の他の実施形態にかかる気管カニューレ用吸引チューブ１ｈ〜１ｊの挿入側端部１１ｈ〜１１ｊの構成を示す概略断面図である。
【図８】従来の気管カニューレ用吸引チューブ６を用いた分泌物の吸引除去の様子を模式的に示した概略断面図である。
【考案を実施するための形態】
【００２０】
以下、本考案の実施の形態を、図面を参照して詳細に説明する。
【００２１】
図１は、本考案の実施形態にかかる気管カニューレ用吸引チューブ１ａの全体構成を示す概略断面図である。図１において、気管カニューレ用吸引チューブ１ａは、ポリ塩化ビニル、ポリウレタン、シリコンゴム等の熱可塑性樹脂等からなる可撓性を有する管状体から構成されている。気管カニューレ用吸引チューブ１ａの断面形状は略円環状であり、内径は１〜１０ｍｍ、好ましくは２〜６ｍｍ、外径は２〜１２ｍｍ、好ましくは３〜８ｍｍであり、全長は１５０〜４５０ｍｍ、好ましくは２００〜４００ｍｍである。
【００２２】
図１に示すように、気管カニューレ用吸引チューブ１ａの挿入側端部（気管カニューレに挿入する側の端部）１１は略Ｖ字状の形状を有しており、本体部（挿入側端部１１を除く部分）１２の中心軸（図中の一点鎖線）に対する最遠壁部近傍、即ち略Ｖ字状に形成された挿入側端部１１の頂点部近傍には、分泌物を吸引するための側孔１１１が設けられている。このような構成とすることにより、挿入側端部１１の前記頂点部が、気管に留置された気管カニューレの屈曲部内径側の奥側内壁面や体内開口部周辺に容易に到達するので、当該部分にこびり付いた分泌物を側孔１１１から吸引して除去することができる。また、挿入側端部１１の先端付近にも側孔１１２が設けられており、側孔１１１と協働して、気管カニューレ、気管及び気管支内に溜まった分泌物を効率良く吸引除去することができる。なお、側孔１１１及び側孔１１２の形状は略楕円形であり、長軸が前記中心軸に対して略平行となるように配設されており、吸引時の気管壁等の損傷を低減するため、内壁側より外壁側の径が大きくなるようにテーパを有して形成されている。
【００２３】
また、気管カニューレ用吸引チューブ１ａの挿入側端部１１の先端はチューブ内が陰圧にならないように開口しているが、吸引ポンプの吸引能力等によっては先端が封止された構造としても構わない。
【００２４】
一方、気管カニューレ用吸引チューブ１ａの他端部（本体部１２の端部）の開口部には、吸引ポンプの吸引ホースと連結するためのポリエチレン、ポリプロピレン等の熱可塑性樹脂等からなるコネクタ２が嵌挿されている。
【００２５】
次に、本実施形態にかかる気管カニューレ用吸引チューブ１ａの使用方法について説明する。図２は、気管カニューレ用吸引チューブ１ａを用いた分泌物の吸引除去の様子を模式的に示した概略断面図である。
【００２６】
まず、気管カニューレ用吸引チューブ１ａをコネクタ２を介して吸引ポンプの吸引ホース（図示せず）に連結し、吸引ポンプ（図示せず）を駆動させる。次いで、気管カニューレ用吸引チューブ１ａの挿入側端部１１を気管３に留置された気管カニューレ４の体外開口部４１から挿入し、気管カニューレ用吸引チューブ１ａを気管カニューレ４の内壁に沿って湾曲させながら奥に向かって挿管していき、気管カニューレ４内に溜まった分泌物（特に気管カニューレ４の屈曲部内径側の奥側内壁面にこびり付いた分泌物５１や体内開口部周辺の段差部分にこびり付いた分泌物５２）を側孔１１１及び１１２から吸引して除去していく。この際、気管カニューレ用吸引チューブ１ａを前後に動かしたり回転させたりして、分泌物の取り残しが無いようにする。そして、気管カニューレ４内及び必要により気管や気管支内の分泌物１３を除去し終えたたら、気管カニューレ用吸引チューブ１ａを気管カニューレ４から抜管して、吸引ポンプを停止させる。
【００２７】
図３〜７は、それぞれ本考案の他の実施形態にかかる気管カニューレ用吸引チューブ１ｂ〜１ｊの挿入側端部１１ｂ〜１１ｊの構成を示す概略断面図である。
【００２８】
図３に示す気管カニューレ用吸引チューブ１ｂは、略Ｗ字状に形成された挿入側端部１１ｂを備えており、本体部の中心軸に対する最遠壁部、即ち略Ｗ字状の挿入側端部１１ｂの２つの頂点部に側孔１１１が設けられている。
【００２９】
図４に示す気管カニューレ用吸引チューブ１ｃは、略Ｓ字状に形成された挿入側端部１１ｃを備えており、本体部の中心軸に対する最遠壁部、即ち略Ｓ字状の挿入側端部１１ｃの２つの頂点部に側孔１１１が設けられている。
【００３０】
図５に示す気管カニューレ用吸引チューブ１ｄは、略螺旋状に形成された挿入側端部１１ｄを備えており、本体部の中心軸に対する最遠壁部、即ち略螺旋状の挿入側端部１１ｄの外径側側面の１箇所に側孔１１１が設けられている。
【００３１】
図６（ａ）〜（ｃ）及び図７（ａ）〜（ｃ）に示す気管カニューレ用吸引チューブ１ｅ〜ｊは、それぞれ略鉤状、略フック状、略円環状、略楕円環状、略Ｕ字状及び略Ｔ字状に形成された挿入側端部１１ｅ〜ｊを備えており、何れも本体部の中心軸に対する最遠壁部の１箇所又は２箇所に側孔１１１が設けられている。
【００３２】
本考案の気管カニューレ用吸引チューブは、上記した実施形態に限定されるものではなく、本考案の要旨を逸脱しない範囲内において種々変更を加え得ることは勿論である。
【００３３】
例えば、上記実施形態では、気管カニューレ用吸引チューブの挿入側端部の形状は、略Ｖ字状、略Ｗ字状、略Ｓ字状、略螺旋状、略鉤状、略フック状、略円環状、略楕円環状、略Ｕ字状、略Ｔ字状等であったが、本考案では、当該挿入側端部に設けられた側孔が気管に留置された気管カニューレの屈曲部内径側の奥側内壁面近傍に到達することができるものであれば、挿入部側端部の形状はこれらに限定されるものではなく、例えばＣ字状（Ω字状）、Ｄ字状（Ｐ字状）、Ｍ字状、Ｎ字状（Ｚ字状）、Ｙ字状（Ｖ字状）等の各種の非直線形状や、これらを複数回繰り返した形状やこれらを組み合わせた形状等であってもよい。
【００３４】
また、本考案に係る気管カニューレ用吸引チューブのサイズ（内径、外形、全長等）や形状等は上記実施形態のものに限定されるものではなく、例えば、気管カニューレ用吸引チューブの断面形状は、略円環状以外にも略楕円環状や略三角環状、略四角環状等の略多角環状等であってもよい。側孔は１又は２個に限られず多数設けられていてもよく、側孔の位置も挿入部側端部の非直線形状の頂点部以外の部分に設けられていてもよいし、側孔の長軸がチューブ本体部の中心軸に対して必ずしも略平行となるように配設されていなくてもよい。また、側孔の形状も略楕円形以外にも、略円形や略三角形、略四角形等の略多角形等であってもよいし、必ずしもテーパを有して形成されていなくてもよい。更に、気管カニューレ用吸引チューブの本体部端部は、必ずしもコネクタを備えていなくてもよい。
【産業上の利用可能性】
【００３５】
上述したように、本考案の気管カニューレ用吸引チューブは、気管カニューレに挿入する側の端部が略Ｖ字状、略Ｗ字状、略Ｓ字状、略螺旋状、略鉤状、略フック状、略円環状、略楕円環状、略Ｕ字状、略Ｔ字状等の非直線形状を有し、その頂点部に側孔が設けられているので、当該側孔が気管カニューレの屈曲部内径側の奥側内壁面や体内開口部周辺に容易に到達し、当該部分にこびり付いた分泌物も当該側孔から容易に吸引して除去することができるので、気管や気管カニューレ内に滞留する分泌物を吸引除去するための気管カニューレ用吸引チューブとして利用した場合極めて有用である。
【符号の説明】
【００３６】
１ａ〜１ｊ・・・気管カニューレ用吸引チューブ
１１ａ〜１１ｊ・・・挿入側端部
１２・・・本体部
１１１、１１２・・・側孔
２・・・コネクタ
３・・・気管
４・・・気管カニューレ
４１・・・体外開口部
５・・・分泌物
６・・・従来の気管カニューレ用吸引チューブ
６１・・・側孔
【図１】
0003158547.tif 000003
【図２】
0003158547.tif 000004
【図３】
0003158547.tif 000005
【図４】
0003158547.tif 000006
【図５】
0003158547.tif 000007
【図６】
0003158547.tif 000008
【図７】
0003158547.tif 000009
【図８】
0003158547.tif 000010